(57)【特許請求の範囲】
【請求項１】
荷台の側壁に固定して取り付けられるロープフック（１）であって、
円柱状の中実の金属棒を湾曲させたＬ字形状のフック部（２）と、前記フック部（２）が接合されたプレート部（３）とを備え、
前記プレート部（３）は、前記プレート部（３）と前記フック部（２）との接合部（４）に深さＤの凹部が形成され、
前記接合部（４）において、円形の中心部（７ａ）から放射状に伸びる延伸部（７ｂ）を有する嵌合雌部（７）に、前記フック部（２）の一端である中実な嵌合雄部（６）が塑性変形することで一体化して固定され、
前記嵌合雌部（７）における両側に前記嵌合雄部（６）の塑性変形により形成されたフランジ状の第１の係止部（５）及び第２の係止部（８）を有し、
前記第１の係止部（５）は、前記プレート部（３）の凹部に収容され、
前記第１の係止部（５）及び前記第２の係止部（８）は前記プレート部（３）を峡持し、
前記延伸部（７ｂ）は、扇形の一部から構成され、前記延伸部（７ｂ）の外周側の長さは前記中心部（７ａ）で切り取られた内周側の長さより長く、前記嵌合雌部（７）が全体としてギア形状であることを特徴とする、ロープフック（１）。  
【請求項２】
前記凹部の深さＤが、前記第１の係止部（５）の肉厚ｔ以上であることを特徴とする請求項１記載のロープフック（１）。
【請求項３】
車両上に取り付け可能なロープフック（１）であって、
フック部（２）とプレート部（３）とを備え、
前記フック部（２）はＬ字形状の棒状のフック本体部（２ａ）と嵌合雄部（６）とを有し、
前記プレート部（３）は嵌合雌部（７）を有し、
前記嵌合雌部（７）の一方の側には延伸凹部（７２ａ）及び延伸凸部（７３ａ）が設けられていると共に前記嵌合雌部（７）の他方の側には延伸凹部（７２ｂ）及び延伸凸部（７３ｂ）が設けられ、
前記嵌合雄部（６）は、前記嵌合雌部（７）の形状に塑性変形することにより前記嵌合雌部（７）と嵌合して前記プレート部と前記フック部との接合部（４）における前記嵌合雌部（７）の円形の中心部（７ａ）及び前記円形の中心部（７ａ）から放射状に伸びる延伸部（７ｂ）を含む前記嵌合雌部と一体化して固定されることを特徴とするロープフック（１）。
【請求項４】
前記一方の側に設けられた延伸凹部（７２ａ）及び延伸凸部（７３ａ）と、前記他方の側に設けられた延伸凹部（７２ｂ）及び延伸凸部（７３ｂ）とが、それぞれ相対向する位置に設けられていることを特徴とする請求項３記載のロープフック（１）。
【請求項５】
前記嵌合雄部（６）は、前記嵌合雌部（７）と同一形状であることを特徴とする請求項１又は請求項２記載のロープフック。
【請求項６】
前記嵌合雄部（６）が前記嵌合雌部（７）にカシメ固定されることを特徴とする請求項１乃至３のいずれか１項又は２記載のロープフック。
【請求項７】
前記嵌合雄部（６）と前記嵌合雌部（７）とが熱カシメにより固定されることを特徴とする請求項６記載のロープフック。
【請求項８】
前記嵌合雄部（６）と前記嵌合雌部（７）とがローリングカシメにより固定されることを特徴とする請求項６記載のロープフック。
【発明の詳細な説明】
【技術分野】
【０００１】
本発明は、ロープフックに関するものである。
【背景技術】
【０００２】
車両の荷台に載置した積載物をロープにより固定するため、車両の荷台の側壁部には、ロープを係止するためのロープフックが設けられている。
例えば、ロープフックは、円柱状の金属棒を９０度湾曲させた鉤形状（Ｌ字形状）のフック部が略平面状の支持板に接合された構造を有する。フック部は支持板に溶接固定され、支持板は荷台の側壁部にネジ又は溶接により強固に固定される。
文献１は、荷台のトップレールに、棒状のフック部を鉛直方向に直接取付るロープフックを開示する。
文献２は、保持台にフック部が固定されたロープフックを開示し、保持台を荷台のリアゲート（側壁部）に取り付けるよう構成されている。
【先行技術文献】
【特許文献】
【０００３】
【特許文献１】実開平５−７２５６７号公報
【特許文献２】実開平４−８６５８７号公報
【発明の概要】
【発明が解決しようとする課題】
【０００４】
ロープが引っ掛けられるフック部には、積載時のロープの締め付けだけでなく、運搬時の加減速や揺れによっても大きな張力（テンション）が加えられる。そのため、フック部には、上方に引き上げる張力のほか、荷台の側壁に沿ってフック部を回転する方向の張力も加えられる。これらの複雑な張力に抗して高い接合強度で固定し耐久性を確保するために、従来は小さくかつ湾曲したフック部と支持板との接合部を溶接する必要があった。しかし、フック部の溶接作業は難しく、熟練の作業者による高度な溶接技術が必要とされていた。
【０００５】
本発明の課題は、耐久性のよいロープフックを容易に提供することである。
【課題を解決するための手段】
【０００６】
本発明にかかるロープフックの一態様は、
荷台の側壁に固定して取り付けられるロープフック（１）であって、
円柱状の中実の金属棒を湾曲させたＬ字形状のフック部（２）と、前記フック部（２）が接合されたプレート部（３）とを備え、
前記プレート部（３）は、前記プレート部（３）と前記フック部（２）との接合部（４）に深さＤの凹部が形成され、
前記接合部（４）において、円形の中心部（７ａ）から放射状に伸びる延伸部（７ｂ）を有する嵌合雌部（７）に、前記フック部（２）の一端である中実な嵌合雄部（６）が塑性変形することで一体化して固定され、
前記嵌合雌部（７）における両側に前記嵌合雄部（６）の塑性変形により形成されたフランジ状の第１の係止部（５）及び第２の係止部（８）を有し、
前記第１の係止部（５）は、前記プレート部（３）の凹部に収容され、
前記第１の係止部（５）及び前記第２の係止部（８）は前記プレート部（３）を峡持し、
前記延伸部（７ｂ）は、扇形の一部から構成され、前記延伸部（７ｂ）の外周側の長さは前記中心部（７ａ）で切り取られた内周側の長さより長く、前記嵌合雌部（７）が全体としてギア形状であることを特徴とする。
上記構成によれば、棒状（円柱状）のフック部を塑性変形する際に変形時の加圧で穴が膨張してもフックへの水平方向への荷重に耐えうる形状（ギア形状）であるためにロープにより回転等を含むテンションが加わっても十分に耐え得る強固な接合強度を従来よりも簡単な作業で容易に実現することができる。
【０００７】
また、本発明にかかるロープフックは、
前記凹部の深さＤが、前記第１の係止部（５）の肉厚ｔ以上であることを特徴とする。
【０００８】
このように、前記凹部の深さＤが、第１の係止部５の肉厚ｔ以上であることで第１の係止部５が、プレート部３の表面Ｓから突出することを防止することができ、第１の係止部５が、プレート部３と荷台の側壁１０２との固定を阻害することが防止される。
【０００９】
本発明にかかるロープフックの別の態様は、
車両上に取り付け可能なロープフック（１）であって、
フック部（２）とプレート部（３）とを備え、
前記フック部（２）はＬ字形状の棒状のフック本体部（２ａ）と嵌合雄部（６）とを有し、
前記プレート部（３）は嵌合雌部（７）を有し、
前記嵌合雌部（７）の一方の側には延伸凹部（７２ａ）及び延伸凸部（７３ａ）が設けられていると共に前記嵌合雌部（７）の他方の側には延伸凹部（７２ｂ）及び延伸凸部（７３ｂ）が設けられ、
前記嵌合雄部（６）は、前記嵌合雌部（７）の形状に塑性変形することにより前記嵌合雌部（７）と嵌合して前記プレート部と前記フック部との接合部（４）における前記嵌合雌部（７）の円形の中心部（７ａ）及び前記円形の中心部（７ａ）から放射状に伸びる延伸部（７ｂ）を含む前記嵌合雌部と一体化して固定されることを特徴とする。
上記構成において、前記一方の側に設けられた延伸凹部（７２ａ）及び延伸凸部（７３ａ）と、前記他方の側に設けられた延伸凹部（７２ｂ）及び延伸凸部（７３ｂ）とが、それぞれ相対向する位置に設けられていてもよい。
【００１０】
また、本発明にかかる上記いずれかの構成のロープフックは、前記嵌合雄部が前記嵌合雌部にカシメ固定されることを特徴とする。また、本発明にかかるロープフックは、前記嵌合雄部と前記嵌合雌部とが熱カシメにより固定されることを特徴とする。
【００１１】
また、本発明にかかる上記いずれかの構成のロープフックは、前記嵌合雄部と前記嵌合雌部とがローリングカシメにより固定されることを特徴とする。
【００１２】
このように、嵌合雄部はカシメのリベット部として機能するものであり、フック部とプレート部との固定が容易であり、組立の作業負担が軽減する。
【発明の効果】
【００１３】
本発明によれば、耐久性のよいロープフックを容易に提供することができる。
【図面の簡単な説明】
【００１４】
【図１】図１（ａ）は、荷物Ｂを積載したトラック（車両）１００を示す斜視図、図１（ｂ）は、ロープフック１が取り付けられた荷台１０１の側壁１０２の拡大斜視図であり、図１（ｃ）は、側壁１０２に取り付けられたロープフック１の正面図である。
【図２】図２（ａ）は、ロープフック１の構成部品を示す斜視図、図２（ｂ）、（ｃ）はフック部２及びプレート部３の部分拡大図である。
【図３】図３は、組立後のロープフック１の外観を示す図であり、図３（ａ）は正面図、図３（ｂ）は背面図、図３（ｃ）は、図３（ａ）のＡ−Ａ線における断面図、図３（ｄ）は側面図、図３（ｅ）は、図３（ｄ）のＢ−Ｂ線断面図である。
【図４】図４は、種々のプレート部３の嵌合雌部７の形状を示す平面図である。
【図５】図５は、図４（ｃ）に示される嵌合雌部７が、熱膨張により変形した形状を示す。
【図６】図６は、嵌合雌部７の変形例を示す平面図である。
【図７】図７（ａ）、（ｂ）は、嵌合雌部７の他の変形例を示す斜視図であり、図７（ｃ）、（ｄ）は、その平面図及び側面図であり、図７（ｅ）は、嵌合雌部７のさらなる変形例を示す斜視図である。
【発明を実施するための形態】
【００１５】
以下、図面を参照して本発明の実施形態について説明する。但し、以下の実施形態は、いずれも本発明の要旨の認定において限定的な解釈を与えるものではない。また、同一又は同種の部材については同じ参照符号を付して、説明を省略することがある。
【００１６】
（実施形態１）
図１（ａ）は、荷物Ｂを積載したトラック（車両）１００を示す斜視図である。
荷物Ｂはトラック１００の荷台１０１上に、ロープフック１に掛け回されたロープＲにより固定される。図１（ａ）に示すように、ロープフック１は、荷台１０１の周縁部に設けられた側壁１０２に取付られている。図示されるように、ロープフック１は、左右の側壁１０２に限定されず、背面部の側壁１０２にも取付可能である。
【００１７】
図１（ｂ）は、荷台１０１の側壁１０２の拡大斜視図であり、図１（ｃ）は、側壁１０２に取り付けられたロープフック１の正面図である。図示するように、ロープフック１は側壁１０２に固定され、取付られている。
【００１８】
ロープフック１は、後述するように、鉤形状（Ｌ字形状）の棒状のフック本体部２ａを有するフック部２と、フック部２を保持するプレート部（保持部）３を備えている。フック部２は、接合部４においてプレート部３と接合される。
【００１９】
ロープフック１のプレート部３は、例えば複数の固定部Ｊにおいて、ネジ、カシメ（加締）又はスポット溶接等により側壁１０２に、強固に（不動に）固定することができる。なお、「カシメ」とは、工具等で外力を加えることで強固に結合させることをいう。
なお、ロープフック１にロープＲを掛ける際の妨げとならないよう、固定部Ｊは突出することなく平坦であることが好ましい。そのため、好適にはスポット溶接により、ロープフック１を側壁１０２に固定する。
【００２０】
フック本体部２ａの断面は、例えば円形であり、円柱状の棒を有限の角度、例えば直角に屈曲した形状を有する。
【００２１】
トラック１００の荷台１０１に荷物Ｂを積載し、ロープＲを用いて固定する場合、フック部２のフック本体部２ａの任意の位置にロープＲが掛け回され得る。
ロープＲはフック本体部２ａの周囲に掛け回され、荷物Ｂの締め付け作業時には、フック本体部２ａの表面に接しながら摺るように移動するため、ロープＲへの負担の低減のため、フック本体部２ａは上記のように、一般的には断面が円形である。
ただし、フック本体部２ａの断面は円形に限定するものではなく、楕円や面取りを施した矩形であってもよい。また、フック本体部２ａは、例えば屈曲部近傍とその他の位置とで、形状を変化させてもよい。
【００２２】
ロープＲによりフック部２に加えられる張力は、荷物Ｂの固定作業（ロープ掛け作業）中だけでなく、走行中においても、加速や減速、振動等によっても発生する。また、その張力は、フック部２を上方に引き上げる方向だけでなく、図１中の矢印Ｆに示すように、トラック１００の前後方向（前進後退方向）にも働く。
従って、フック部２のアーム部（腕部）であるフック本体部２ａに引っ掛けられたロープＲから力が加えられると、（図１（ｃ）に示すように）接合部４においてフック部２を回転する方向に力（回転力）Ｔが加えられる場合がある。この場合、フック部２は、接合部４において、プレート部３に対して回転する方向にテンションが加わることになる。
【００２３】
プレート部３は、複数の固定部Ｊにおいて側壁１０２に固定されるため、回転力Ｔに対して高い抵抗力を容易に得ることができる。一方、フック部２は、フック本体２ａの根元の接合部４において、プレート部３に一箇所で固定されるため、回転力Ｔに対して高い抵抗力を実現することは容易ではない。
【００２４】
図２は、非限定的なロープフック１の例を示す。図２（ａ）は、ロープフック１の構成部品を示す斜視図である。なお、図２（ａ）は、各構成部品の分解図であり、図２（ｂ）、（ｃ）はフック部２及びプレート部３の部分拡大図である。
図３は、組立後のロープフック１の外観を示す図であり、図３（ａ）は正面図、図３（ｂ）は背面図、図３（ｃ）は、図３（ａ）のＡ−Ａ線における断面図、図３（ｄ）は側面図、図３（ｅ）は図３（ｄ）のＢ−Ｂ線断面図である。
【００２５】
ロープフック１は、例えば、鉄やステンレス等の金属（合金）製であり、フック部２及びプレート部３を構成部材として備える。
フック部２は、フック本体部２ａと、その端部に設けられた嵌合雄部（根部）６とを備える。
【００２６】
嵌合雄部６は嵌合雌部７にカシメ固定可能であり、嵌合雄部６はカシメのリベット部として機能する。ロープフック１が組み立てられた状態では、嵌合雄部６はフック本体部２ａのプレート部３側に設けられ、プレート部３の接合部４を構成することになる。
嵌合雄部６がリベット部として機能するとは、嵌合雄部６が塑性変形し嵌合雌部７と嵌合されることを意味し、嵌合雄部６がリベットの構成要素であることを意味し、リベットの胴部（軸部）に相当する。
【００２７】
図２に示すように、嵌合雌部７の断面形状は、ギア形状（歯車形状）をなす。嵌合雄部６は嵌合雌部７に嵌合するように構成されている。
【００２８】
図２（ｂ）は、嵌合雄部６の形状の例を示す部分拡大図であり、プレート部３に面する側から見た平面図である。図２（ｃ）は、嵌合雌部７の形状の例を示す部分拡大図であり、図２（ｂ）の嵌合雄部６に対応する嵌合雌部７の形状を示す。
嵌合雌部７は中心部７ａ（中心貫通部）と中心部の外周に部分的に延伸して形成された延伸部７ｂ（延伸凹部）を有する。嵌合雄部６は嵌合雌部７と嵌合可能な形状である。
図２（ｂ）に示すように嵌合雄部６の断面形状は、嵌合雌部７の中心部７ａに挿通可能な形状であり、例えば円形状である。嵌合雄部６の断面形状を円形状とした場合、嵌合雄部６を備えたフック部２の製造を容易にすることができる。
なお、嵌合雌部７の延伸部７ｂは嵌合雌部の中心部７ａと共にプレート部３の本体に対しては相対的に凹むことになり、凹形状となり、プレート部３の凹部として形成される。
【００２９】
このように、嵌合雌部７の形状（断面形状）は、中心部７ａ（例えば凸集合である円形状）から突出する延伸部７ｂを有する形状であり、非凸集合である。嵌合雄部６は、嵌合雌部７と嵌合可能な形状であり、好適には円形状に構成される。
ここで、「非凸集合」及び「凸集合」は、学術用語であり正確な定義の説明は割愛するが、「非凸集合」とは、例えばギア形状、星形や勾玉の様に、一部が突出又は凹んだ形状を一般的に表す数学用語である。これに対して、正方形、円は、ともに凸集合であり、後述するように、熱膨張により正方形は円形に近づくが、非凸集合のように凸部又は凹部を有する形状は、熱膨張により円形に近づく可能性は限りなく小さい。
【００３０】
図２（ｃ）に示す例においては、嵌合雌部７は円形の中心部７ａと、中心部７ａから外方に伸びるように、中心部７ａの外周に形成された複数の延伸部７ｂとを有する。放射状に伸びる延伸部７ｂは、例えば、扇形の一部により構成されており、延伸部７ｂの内周側より外周側の方が周辺長が長い。
一方、上述のように、嵌合雌部７と嵌合する嵌合雄部６は、嵌合雌部７の中心部７ａと同様に円形であり、嵌合雄部６の中心部７ａに挿通可能である。
すなわち、嵌合雄部６は嵌合雌部７の中心部７ａに挿通し、嵌合雄部６の外壁面が中心部７ａの内壁面と接するよう構成されている。
【００３１】
なお、後述するように、延伸部７ｂの形状は扇形の一部に限定するものではなく矩形であってもよく、また、中央部７ａは円形に限定するものではない。
【００３２】
なお、嵌合雄部６の形状は、嵌合雌部７に挿通され嵌合可能であれば、嵌合雌部７の中心部７ａと同一形状（円形）に限定されるものではなく、例えば、中心部７ａの周りに延伸部７ｂを含む形状（嵌合雌部７と嵌合する形状）であってもよい。嵌合雄部６の形状を嵌合雌部７と嵌合する形状とした場合、カシメ工程の際に、嵌合雄部６の回転が制限されるため、プレート部３とフック部２との位置関係を確定することが容易となる。
【００３３】
図２（ｃ）では、４つの延伸部７ｂを備えた構成を示すが、これに限定するものではない。１以上の延伸部７ｂ、例えば３つの延伸部７ｂを備えてもよい。嵌合雄部６を嵌合雌部７に均等の力で加締められるよう、好適には、４つの延伸部延伸部７ｂは等角度間隔に配置され得る。
【００３４】
なお、フック部２、プレート部３は既知の金属加工技術を用いて製造することができる。特徴的な形状を有するプレート部３についても、例えば金属製板をプレス加工し、嵌合雌部７を削り加工し開口することで製造できる。
【００３５】
フック部２の嵌合雄部６は、プレート部３の嵌合雌部７に挿入し、熱カシメにより固定される。この熱カシメの工程において、フック部２の嵌合雄部６の端部は、プレート部３の嵌合雌部７を介して電極により機械的に加圧される。さらに電極から電流を流されることにより電気抵抗によるジュール熱を発生させ加熱され、嵌合雄部６が嵌合雌部７の形状に合致するように塑性変形し、加締られることができる。２つの電極により嵌合雄部６を挟み込むようにして電流を流すことで、主に嵌合雄部６に集中して電流を流すことができ、主に嵌合雄部６からジュール熱を発生させることができる。
【００３６】
すなわち、リベット部である嵌合雄部６は、加圧と加熱の効果により、嵌合雌部７の径方向外側へと広がるように塑性変形され（又、部分的には溶着の効果も得られ）、その結果、フック部２とプレート部３とが接合され、接合部４において互いに強固に固定される。
【００３７】
なお、フック部２をプレート部３に固定するために、嵌合雄部６を塑性変形するカシメ工程において、特に熱カシメを好適に使用できるが熱カシメに限定されず、ローリングカシメ等のカシメ技術を用いてもよい。
【００３８】
例えば、図２（ｂ）に示す例においては、嵌合雄部６が円形であり、ローリングカシメの使用にも適している。この場合、嵌合雄部６を嵌合雌部７に挿通させ、その先端を回転するカシメ具により直接押圧し、外向きに塑性変形させてもよい。
【００３９】
図３（ａ）、（ｂ）に示すように、嵌合雄部６の両側において嵌合雄部６が塑性変形し、円板形状の第１の係止部（フランジ部）５及び第２の係止部（フランジ部）８が形成される。第１の係止部５及び第２の係止部８は、嵌合雌部７及び嵌合雄部６（接合部４）を覆うように形成される。
図３（ｃ）、（ｄ）に示すように、接合部４において、第１の係止部５及び第２の係止部８とによりプレート部３が挟み込まれるように固定される。
【００４０】
なお、フック本体部２ａに予めフランジ部として第２の係止部８を設けてもよい。フック本体部２ａの固定位置を確定することができる。
【００４１】
なお、図３（ｃ）に示すように、プレート部３は第１の係止部５を収容することができる凹部９を有してもよい。凹部９の深さＤは、第１の係止部５の肉厚ｔ以上に設定される。そのため、第１の係止部５が、プレート部３の表面Ｓから突出するを防止することができ、第１の係止部５が、プレート部３と荷台の側壁１０２との固定を阻害することが防止される。
【００４２】
図３（ｅ）は、カシメにより塑性変形した嵌合雄部６の断面形状を示す。嵌合雌部７の内側壁面に沿って嵌合雄部６が塑性変形し、嵌合雄部６は、中心部６ａ（中心突出部）と延伸部６ｂ（延伸凸部）とを有する形状となる。すなわち、嵌合雄部６は嵌合雌部７の全体と一体化し、嵌合雄部６の断面形状は嵌合雌部７の断面形状と同一形状となる。
【００４３】
図４は、種々のプレート部３の嵌合雌部７の形状を示す平面図である。図４（ａ）は嵌合雌部７がギア形状、図４（ｂ）は嵌合雌部７が円形状、図４（ｃ）は嵌合雌部７が矩形状（正方形）の例を示す。図４（ａ）に示す例は、図２（ａ）、（ｃ）に示す例と同じである。
【００４４】
図１（ｃ）に示すように、ロープＲからの張力Ｆにより、ロープフック１のフック部２の根元である接合部４（嵌合雄部６）には回転力Ｔが付加されることがある。
図４（ａ）に示す例においては、嵌合雌部７がギア形状であり、カシメにより塑性変形した嵌合雄部６は嵌合雌部７と互いに噛み合うように固定され、嵌合雄部６と嵌合雌部７とは幾何学的に相対的な回転が不可能な形状となる。
そのため、回転力Ｔが付加されても、嵌合雄部６の回転が効果的に阻害され、回転力Ｔに対する抵抗力が高い。
その結果、フック部２とプレート部３とをカシメにより強固に固定することができ、ロープＲの張力に対して十分な耐久力を得ることができる。
【００４５】
一方、図４（ｂ）に示す例においては、嵌合雌部７は通常のリベットと同様に円形であり、嵌合雄部６も嵌合雌部７に対応して円形であるため、嵌合雄部６と嵌合雌部７とは幾何学的には相対的に回転可能な形状である。そのため、回転力Ｔに対する抵抗力が低く、図４（ａ）と比較して耐久性が劣る。
【００４６】
図４（ｃ）に示す例においては、嵌合雌部７は矩形であり、カシメにより嵌合雄部６が径外方向に塑性変形することで、嵌合雌部７に追随して矩形に塑性変形することが期待される。その結果、カシメ工程の後には、嵌合雄部６と嵌合雌部７とは幾何学的には相対的に回転不可能な形状となり、図４（ｂ）に示す例と比較して、回転力Ｔに対する抵抗力を高くすることができる。
【００４７】
図５は、図４（ｃ）示す嵌合雌部７が、熱膨張により変形した形状を示す。
図５に示すように、カシメ工程で温度が上昇した場合、熱膨張により嵌合雌部７の形状が円形に近づく。その結果、フック部２をプレート部３に接合した状態では、接合部４の嵌合雄部６及び嵌合雌部７の形状（断面形状）は、円形に近い形状となり、熱膨張の影響は回転力Ｔに対する抵抗力を低減させる。従って、図４（ｃ）の形状から期待される回転力Ｔに対する抵抗力が十分に得られなくなる。
また、嵌合雄部６の形状を矩形にした場合も、カシメ工程における熱膨張により接合部４の嵌合雄部６及び嵌合雌部７の形状（断面形状）は、円形に近い形状となる。
【００４８】
このように正方形のような正多角形が熱膨張すると、円形に近づく。しかし、円や正多角形の一部が突出、又は窪んだ形状（非凸集合）の場合、熱膨張しても円形に近づくことはない。
図４（ａ）に示す例においては、カシメ工程、特に熱カシメ工程における嵌合雌部７の熱膨張によっても、円形とならずギア形状を維持できるため、回転力Ｔに対して最も高い抵抗力を得ることができる。水平方向Ｆに対して要求強度を十分に満足することが確認された。
一方、図４（ｃ）に示す例は、図４（ｂ）に示す例と比較して回転力Ｔに対する抵抗は強化される。しかし、上記のようにカシメ工程において変形する場合があり、図４（ａ）に示す例と比較すると回転力Ｔに対する抵抗は劣る。
【００４９】
一般にカシメ固定は、溶接と比較して回転力に対しする抵抗力に乏しい。そのため、回転力が加えられるロープフック１のフック部２とプレート部３との固定には不向きであった。しかし、本発明のように嵌合雌部７と嵌合雄部６とを構成することにより、フック部２とプレート部３との固定にカシメ固定を採用できるようになり、さらに十分高い固定強度を実現できる。そのためロープフック１の製造工程において、フック部２とプレート部３とをカシメ固定可能とすることで、作業者の負担が軽減され、作業効率も向上する。
【００５０】
（実施形態２）
嵌合雌部７の中心部７ａと延伸部７ｂの形状は、図２（ｃ）に示す例に限定するものではない。
図６は、嵌合雌部７の形状の変形例を示す平面図である。
図６（ａ）の平面図は、円形の中心部７ａの外周に設けられた延伸部７ｂの数が３、４、５であり、延伸部７ｂの形状が扇形の一部からなる形状（単に『扇形状』と称す。）又は矩形の一部からなる形状（単に『矩形状』と称す。）の例を示す。
このように、延伸部７ｂの形状が扇形状に限定するものではなく、例えば、矩形状であってもよい。換言すれば、図６中の点線で示すように、嵌合雌部７の外周形状が円に接してもよく、矩形（正多角形）に接してもよい。また、延伸部７ｂの数は４に限定するものではない。
また、複数の延伸部７ｂを、扇形状の延伸部７ｂと、矩形状の延伸部７ｂとの組み合わせから構成されてもよい。
【００５１】
なお、対応する嵌合雄部６の形状は、嵌合雌部７の中心部７ａと同一形状又は円形状としてもよい。カシメ工程において嵌合雄部６が塑性変形し、嵌合雌部７の中心部７ａ及び延伸部７ｂと嵌合することになる。
【００５２】
なお、嵌合雄部６の形状を、中心部７ａの外周に延伸部７ｂを有する嵌合雌部７と同一形状としてもよい。例えば、嵌合雄部６の延伸部６ｂは、扇形状又は矩形状であってもよく。また、嵌合雌部７の延伸部７ｂを扇形状とし、対応する嵌合雄部６の延伸部６ｂを扇形状又は矩形状としてもよい。ただし、嵌合雄部６を上記のように円形状とすることで、嵌合雄部６の製造コストを低減できる。
【００５３】
また、中心部７ａの形状は円形に限定するものではない。図６（ｂ）の平面図は、中心部７ａの形状が円ではなく、矩形（好適には正多角形）であり、延伸部７ｂの形状が扇形の一部又は矩形の例を示す。すなわち、中心部７ａの外周が矩形に接する形状であってもよい。
【００５４】
さらに図７に示すように、プレート部３の嵌合雌部７の形状を凹凸を有する形状としてもよい。
図７（ａ）は、フック本体部３ａ側から見たプレート部３の部分斜視図、図７（ｂ）は、第１の係止部５側（又は荷台１０１の側壁１０２側）から見たプレート部３の部分斜視図であり、図７（ｃ）は嵌合雌部７近傍の平面図であり、図７（ｄ）は嵌合雌部７近傍の側面図であり、図７（ｅ）はさらに変形されたプレート部３の拡大斜視図である。
図７に示すように、嵌合雌部７の中央部には中心貫通部７１が設けられており、中心貫通部７１の外周方向に伸びる箇所には、図７（ａ）に示すように、プレート部３の嵌合雌部７の一方の側には、上記延伸部７ｂに相当する４つの延伸凹部７２ａ及び延伸凸部７３ａが設けられている。また、図７（ｂ）に示すように、嵌合雌部７の他方の側には、上記延伸部７ｂに相当する４つの延伸凹部７２ｂ及び延伸凸部７３ｂが設けられている。
延伸凹部７２ａ、７２ｂはプレート部３の表面より凹み、延伸凸部７３ａ、７３ｂはプレート部３の表面より突出している。延伸凹部７２ａ、７２ｂ及び延伸凸部７３ａ、７３ｂは、例えばプレス加工により設けることができる。
【００５５】
対応する嵌合雄部６の断面形状は中心貫通部７１と同形に設定することができる。例えば、中心貫通部７１が円形の場合、嵌合雄部６は、断面が円形の円柱状である。
カシメ工程において、嵌合雄部６は、プレート部３の嵌合雌部７の中心貫通部７１に挿通され、その後嵌合雄部６は、加圧され塑性変形し、延伸凹部７２ａ、７２ｂ、及び延伸凸部７３ａ、７３ｂに挟まれた空間に拡張し、フック本体部３ａがプレート部３と嵌合し、接合される。
【００５６】
なお、延伸凹部７２ａ、７２ｂ及び延伸凸部７３ａ、７３ｂの数は、４に限定するものではなく例えば２、３等であってもよい。延伸凹部７２ａ、７２ｂ及び延伸凸部７３ａ、７３ｂの形状は、扇形状あってもよく、矩形であってもよい。
【００５７】
また、図７（ｅ）は嵌合雌部７の、更なる変形例を示す。図７（ｅ）に示すようにプレート部３の嵌合雌部７の一方の側に延伸凹部７２ｃのみを設け他方の側に延伸凹部７２ｃのみを設けてもよい。
【産業上の利用可能性】
【００５８】
本発明に係るロープフックは、従来よりも簡単な作業でフック部とプレート部と強固に接合固定することができる。荷台に限定されることなく、ロープを引っかけるフックが必要なあらゆる構造に適用でき、よって、産業上の利用可能性は大きい。
【符号の説明】
【００５９】
１  ロープフック
２  フック部
２ａ  フック本体部
３  プレート部（保持部）
４  接合部
５  第１の係止部（第１のフランジ部）
６  嵌合雄部（根部）
６ａ  中心部（中心突出部）
６ｂ  延伸部（延伸突出部）
７  嵌合雌部（開口部）
７ａ  中心部（中心貫通部）
７ｂ  延伸部（延伸凹部）
８  第２の係止部（第２のフランジ部）
９  凹部
７１  中心貫通部
７２  延伸凹部
７３  延伸凸部
１００  トラック（車両）
１０１  荷台
１０２  側壁
Ｂ  荷物
Ｊ  固定部
Ｒ  ロープ
【要約】
【課題】フック部の高い接合強度を実現できるロープフックを提供することを課題とする。
【解決手段】ロープフックは、フック部とプレート部とを備えており、フック部はフック本体部と嵌合雄部とを有し、プレート部は嵌合雌部を有している。嵌合雌部は中央部とその外周に形成された延伸部を有し、嵌合雄部は嵌合雌部と嵌合し、嵌合雌部に固定される。また、嵌合雄部は、カシメのリベット部として機能し、嵌合雄部と嵌合雌部とがカシメ固定される。
【選択図】図２【図１】
0006965467.tif 000002
【図２】
0006965467.tif 000003
【図３】
0006965467.tif 000004
【図４】
0006965467.tif 000005
【図５】
0006965467.tif 000006
【図６】
0006965467.tif 000007
【図７】
0006965467.tif 000008